(57)【要約】【課題】重量のあるマンホール蓋を開けることなく、内部に溜まった水について排水処理等の点検を効率よく管理し、この溜水を消火用水としても迅速かつ容易に活用する。【解決手段】電力ケーブル、通信ケーブル等を敷設する電線共同溝に設けられたマンホール１内に貯留した溜水について、マンホール１内の雨水の水位から算出した溜水量情報及びそのマンホール１の位置情報を管理センタ２に送信し、管理センタ２が、各マンホール１内の溜水量を演算して溜水量データとして処理し、溜水量データに基づき各地区のマンホール１内の溜水の排水計画と消火用水利用可能計画を作成し、管理センタ２から該当するマンホール１の位置情報を電線等管理者３、消防署４に連絡するように、管理センタ２が一元管理する。【選択図】図１
2009110480.tif 000002
【特許請求の範囲】
【請求項１】
電力供給用の電力ケーブル、通信ケーブル等を、地中に設けた管路（５）内に敷設する電線共同溝に設けられたマンホール（１）内に貯留した溜水について、管理センタ（２）が一元管理する電線共同溝マンホール内の溜水管理方法であって、
前記マンホール（１）内の雨水の水位から算出した溜水量情報及びそのマンホール（１）の位置情報を管理センタ（２）に送信し、
前記管理センタ（２）が、各マンホール（１）内の溜水量を演算して溜水量データとして処理し、溜水量データに基づき各地区のマンホール（１）内の溜水の排水計画と消火用水利用可能計画を作成し、
前記管理センタ（２）から該当するマンホール（１）の位置情報を電線等管理者（３）、消防署（４）に連絡する、ことを特徴とする電線共同溝マンホール内の溜水管理方法。
【請求項２】
前記管理センタ（２）は、前記電力ケーブル、通信ケーブルが冠水して、排水処理が必要なマンホール（１）について、その位置情報を前記電線等管理者（３）に連絡する、ことを特徴とする請求項１の電線共同溝マンホール内の溜水管理方法。
【請求項３】
前記管理センタ（２）は、前記電力ケーブル、通信ケーブルは冠水していないが、初期消火の放水に充分な量の溜水があるマンホール（１）について、その位置情報を消防署（４）に連絡する、ことを特徴とする電線共同溝マンホール内の溜水管理方法。
【発明の詳細な説明】
【技術分野】
【０００１】
本発明は、電線共同溝の出入口となるマンホール内に貯留した溜水の排水管理と、これを消火用水として利用する電線共同溝マンホール内の溜水管理方法に関する。
【背景技術】
【０００２】
電線地中化区域に施設されている電線共同溝は、電力供給用の電力ケーブル、通信ケーブル、上下水道管等を地中に埋設した管路内に敷設したものである。また、従来の水路は地中へ電線共同溝とは別に排水管として埋設されている。このような電線共同溝には、その内部の点検管理、送電線等の接続に際し、作業者が入溝するためにマンホールを設けている。
【０００３】
このような電線共同溝マンホール内部には、雨水のような大量の水が溜まりやすい。マンホール内部の溜水により、電力ケーブル及び通信ケーブルが冠水しているときは、定期的な排水が必要である。また、マンホールの内部を点検するときに、溜水があると人溝できないので排水する必要がある。しかし、マンホールの蓋を開けるまで水位がどの程度あるのかは判らないことが多かった。
【０００４】
そこで、マンホールの蓋を開けなくても、マンホール内の状態を把握する技術が提案されている。例えば、特許文献１の特開２００６−３０１２９公報「マンホール内監視システム」に示すように、地上側開口部が金属製の外蓋により閉じられるマンホール内に、設備の監視情報を収集するセンサ及び前記センサからの監視情報を検知・制御する監視装置が設置される一方、前記マンホール外の地上部に前記監視情報を表示する情報表示装置が設けられ、前記監視装置から前記監視情報を無線により前記情報表示装置に送信するマンホール内監視システムにおいて、前記監視装置に起動用センサを接続し、前記起動用センサにて検出された起動信号が前記監視装置に伝達された時に前記監視装置を起動させるようにしたマンホール内監視システムが提案されている。
【特許文献１】特開２００６−３０１２９公報
【０００５】
また、電線共同溝のマンホール内部に大量の雨水等が溜まり、電力ケーブル及び通信ケーブルが冠水することは、これらのケーブルには好ましい状態ではない。各マンホールは電線共同溝の通信管路により接続されており、一つのマンホールに溜まった雨水を排水しても他のマンホールから接続されている通信管路及び電力管路から雨水が流れ込んでくる。このマンホール内部へ水中ポンプが設置されていない場合は、定期的にマンホール蓋を開けて排水する必要がある。
【発明の開示】
【発明が解決しようとする課題】
【０００６】
しかし、特許文献１の「マンホール内監視システム」は、単に保守管理情報をマンホール内部から無線信号により地上に伝送し、低消費電力化、低容積化、及び低コスト化が可能なシステムであり、このマンホール内に溜まった雨水等の溜水の排水処理、また有効利用するものではなかった。
【０００７】
また、電線地中化区域は需要密度が高く、火災が発生したときに、その類焼時の消火活動が困難であった。それは消火用水の確保がこの電線地中化区域では困難な状況にあり、上下水道も地中化されていることが多いからである。そこで、本願の発明者は、電線地中化区域における電線共同溝のマンホール内に溜まった雨水について、火災消火時に消火用水として活用することに着目した。しかし、上述したように多数ある各マンホールについて、溜水している容量を個々に点検することは、大変煩雑な作業であるという問題を有していた。
【０００８】
本発明は、かかる問題点を解決するために創案されたものである。すなわち、本発明の目的は、マンホール内に簡単な装置を設け、かつその内部の状態を一元管理することで、大きく重量のあるマンホール蓋を開けることなく、内部に溜まった水について排水処理等の点検を効率よく管理することができ、また、この溜水を消火用水としても迅速かつ容易に活用できる電線共同溝マンホール内の溜水管理方法を提供することにある。
【課題を解決するための手段】
【０００９】
本発明によれば、電力供給用の電力ケーブル、通信ケーブル等を、地中に設けた管路（５）内に敷設する電線共同溝に設けられたマンホール（１）内に貯留した溜水について、管理センタ（２）が一元管理する電線共同溝マンホール内の溜水管理方法であって、前記マンホール（１）内の雨水の水位から算出した溜水量情報及びそのマンホール（１）の位置情報を管理センタ（２）に送信し、前記管理センタ（２）が、各マンホール（１）内の溜水量を演算して溜水量データとして処理し、溜水量データに基づき各地区のマンホール（１）内の溜水の排水計画と消火用水利用可能計画を作成し、前記管理センタ（２）から該当するマンホール（１）の位置情報を電線等管理者（３）、消防署（４）に連絡する、ことを特徴とする電線共同溝マンホール内の溜水管理方法が提供される。
【００１０】
例えば、前記管理センタ（２）は、前記電力ケーブル、通信ケーブルが冠水して、排水処理が必要なマンホール（１）について、その位置情報を前記電線等管理者（３）に連絡する。
また、前記管理センタ（２）は、前記電力ケーブル、通信ケーブルは冠水していないが、初期消火の放水に充分な量の溜水があるマンホール（１）について、その位置情報を消防署（４）に連絡する。
【発明の効果】
【００１１】
上記構成の発明では、多数ある電線共同溝のマンホール（１）内部に施設された電力ケーブル及び通信ケーブルが冠水状態にあるかどうか、溜水量がどの程度であるかについて管理センタ（２）が常時把握しているので、溜水の排水計画を基に定期的に排水することができる。このときは、排水が必要なマンホール（１）の位置を把握しているので、多数のマンホール（１）の排水作業を効率的に実施することができる。
また、消火用水利用可能計画を基に、火災時にマンホール内部に大量に溜まった水（雨水）を消火用水としても活用できる。即ち、電線地中化区域において火災が発生したときにも、その初期消火に万全に帰すことができる。
【発明を実施するための最良の形態】
【００１２】
本発明の電線共同溝マンホール内の溜水管理方法は、電力供給用の電力ケーブル、通信ケーブル等を、地中に設けた管路内に敷設する電線共同溝に設けられたマンホール内に貯留した溜水について、管理センタが一元管理する方法である。
【実施例１】
【００１３】
以下、本発明の好ましい実施の形態を図面を参照して説明する。
図１は本発明の電線共同溝マンホール内の溜水管理方法を実施するための全体構成図である。図２は電線共同溝マンホール内の説明斜視図である。
本発明の電線共同溝マンホール内の溜水管理方法は、図１に示すように、電力供給用の電力ケーブル、通信ケーブル等の電線共同溝に設けられたマンホール１内に貯留した溜水について、管理センタ２が一元管理する方法である。この管理センタ２は、各自治体のような電線共同溝管理者である。
【００１４】
本発明の溜水管理方法は、先ずマンホール１内の雨水の水位から算出した溜水量情報及びそのマンホール１の位置情報を管理センタ２に送信する。この管理センタ２は、各マンホール１内の溜水量を演算して溜水量データとして処理し、溜水量データに基づき各地区のマンホール１内の溜水の排水計画と消火用水利用可能計画とを作成する。最後に、管理センタ２は、該当するマンホール１の位置情報を電線等管理者３に、その溜水の排水計画を連絡し、または消防署４にどのマンホール１が消火用水として利用できるかどうかの消火用水利用可能計画を連絡する。
【００１５】
図２に示すように、各マンホール１は、電力供給用の電力ケーブル、通信ケーブル等を、地中に設けた管路５内に敷設する電線共同溝に設けられたものである。このマンホール１内は広い空間を有するので内部に雨水が大量に貯留しやすい。このマンホール１内には雨水の水位を計測する水位検出装置６が設けられている。この水位検出装置６はマンホール１の上部に水位検出装置本体７を取り付け、この水位検出装置本体７にバルーンセンサ８を吊り下げ、増水する水位を計測するものである。また、この水位検出装置本体７は、そのままデータを通信する送信機能を併せ持つ。マンホール１内には入溝口９から入る。
【００１６】
この水位検出装置６の電源は、例えばマンホール１内に施設されている管理センタ２の電源ケーブルより供給する。あるいは、各マンホール１からの溜水量情報、位置情報の通信は、管理センタ２の通信ケーブルを使用し、または無線のデータ通信（衛星通信）を利用することもできる。
【００１７】
また、マンホール１は、特定の位置番号を位置情報として登録し、各マンホール１の設置位置を管理するようになっている。水位検出装置６からの溜水量情報、位置情報が発信装置によりに自動的に送信される。なお、各マンホール１の位置を計測するＧＰＳ装置（図示していない。）を取り付けることも可能である。
【００１８】
図３は本発明の溜水管理方法を説明するためのフロー図である。
管理センタ２は、入力部、出力部、データベースや演算部等を備えた管理サーバを有している。データベースには、先ずマンホール１における空間領域の容積（溜水量）や及び地図情報等の基本データが登録される。溜水量はマンホール１内の水位により算出する。溜水量（ｍ３）はマンホール１の幅（ｍ）×長さ（ｍ）×水位（ｍ）から求める。
【００１９】
管理センタ２は、受信装置で溜水情報、位置情報を受信し、管理サーバでこれを処理して、特定の地域のマンホール１の設置位置や状態を一元管理する。即ち、管理センタ２の管理サーバは、先ず位置情報に基づき各マンホール１の位置を把握する。必要に応じて、複数のマンホール１から電線等管理者３の選択を行い、排水処理の最適ルートを検索し、作業コストも算出する。
【００２０】
次に、管理センタ２の管理サーバは、溜水情報から各マンホール１における溜水増加傾向を把握してその増加傾向から電力ケーブル、通信ケーブルが冠水し、排水処理が必要なマンホール１であることを予測する。
【００２１】
水位予測データからマンホール１内の溜水が所定水位以上（冠水）になる日時を排水処理予定日として演算算出し、その日にマンホール１を排水処理できるように排水処理計画を作成する。
【００２２】
管理センタ２は電線等管理者３と通信ネットワークで接続されており、上記管理サーバで処理したマンホール１の水位・位置・最適ルート等の排水処理指示を所定の電線等管理者３に連絡する。
【００２３】
更に、本発明の溜水管理方法では、管理センタ２が、消火用水利用可能計画を基に、火災時にマンホール内部に大量に溜まった水を消火用水としても活用できると判断し、この情報として、例えば管理サーバで処理した消火用水として利用できるマンホール１の水位と位置を所定の消防署４に連絡する。即ち、管理センタ２は、電力ケーブル、通信ケーブルが冠水しておらず、かつ初期消火の放水に充分な量の溜水があるマンホール１について、その位置情報を消防署４に連絡する。
【００２４】
以上のように管理センタ２を中心として各マンホール１内の電力ケーブル、通信ケーブルの管理は元より、各マンホール１内における溜水の貯留傾向を把握し、また、排水処理計画を勘案した上で各マンホール１内の溜水を消火用水として利用できるかどうかを決定し、消火用水利用可計画を作成することで、溜水の電力ケーブル、通信ケーブルへの冠水を回避しつつ、消火用水の利用を可能とした。
【００２５】
なお、本発明の電線共同溝マンホール１内の溜水管理方法は、マンホール１内に簡単な装置を設け、かつその内部の状態を一元管理することで、大きく重量のあるマンホール１の蓋を開けることなく、内部に溜まった水について排水処理等の点検を管理センタ２が効率よく管理することができ、また、この溜水を消火用水としても迅速かつ容易に活用できれば、上述した発明の実施の形態に限定されず、本発明の要旨を逸脱しない範囲で種々変更できることは勿論である。
【産業上の利用可能性】
【００２６】
本発明の電線共同溝マンホール内の溜水管理方法は、電線共同溝以外のマンホールにも利用することができる。
【図面の簡単な説明】
【００２７】
【図１】本発明の電線共同溝マンホール内の溜水管理方法を実施するための全体構成図である。
【図２】電線共同溝マンホール内の説明斜視図である。
【図３】本発明の溜水管理方法を説明するためのフロー図である。
【符号の説明】
【００２８】
１  マンホール
２  管理センタ（電線共同溝管理者）
３  電線等管理者
４  消防署
５  管路
【図１】
2009110480.tif 000003
【図２】
2009110480.tif 000004
【図３】
2009110480.tif 000005